(57)【要約】【課題】測定装置間の距離とは無関係に、複数の測定装置間の同期を実現することができるという効果を有する測定システム及び同期方法を提供する。【解決手段】信号解析装置１０は、現在時刻を取得する現在時刻取得部１２と、無線周波数の信号を入力し所定周波数の信号に変換するミキサ１４と、ミキサ１４が変換した信号をデジタル信号のサンプリングデータに変換するＡＤＣ１５と、ＡＤＣ１５が変換したサンプリングデータのサンプルに現在時刻の情報を付加して、波形データのサンプリングデータを記憶する波形データ記憶部１６と、波形データ記憶部１６が記憶したサンプリングデータを解析する波形データ解析部１７と、を備える。【選択図】図２
2017060102.tif 000002
【特許請求の範囲】
【請求項１】
複数の測定装置（１０、２０、３０、６０、７０、８０）を備えた測定システム（１００、２００）であって、
前記各測定装置は、
現在時刻を取得する現在時刻取得手段（１２、６１）と、
無線周波数の信号を入力し所定周波数の信号に変換する周波数変換手段（１４）と、
前記周波数変換手段が変換した信号をサンプリングすることによりデジタル信号のサンプリングデータに変換するアナログデジタル変換手段（１５、６２）と、
前記現在時刻取得手段が取得した前記現在時刻の情報を入力し、前記サンプリングデータのサンプルに前記現在時刻の情報を付加して前記サンプリングデータを記憶するサンプリングデータ記憶手段（１６、６３）と、
前記サンプリングデータ記憶手段が記憶した前記サンプリングデータを解析するサンプリングデータ解析手段（１７）と、
を備えたことを特徴とする測定システム。
【請求項２】
前記各測定装置（６０、７０、８０）は、現在の自装置の位置情報を取得する位置情報取得手段（６１）をさらに備え、
前記サンプリングデータ記憶手段（６３）は、前記アナログデジタル変換手段（６２）が変換した前記サンプリングデータのサンプルに前記位置情報取得手段が取得した位置情報をさらに付加して前記サンプリングデータを記憶するものであることを特徴とする請求項１に記載の測定システム。
【請求項３】
前記現在時刻取得手段は、全地球測位システムの衛星（４０）、携帯電話システムの基地局及び日本標準時の時刻データを送信する電波送信所のうちのいずれか１つからの電波により前記現在時刻を取得するものであることを特徴とする請求項１又は請求項２に記載の測定システム。
【請求項４】
前記各測定装置（６０、７０、８０）のうち少なくともいずれか１つが移動体（６ｃ、７ｃ、８ｃ）に搭載されたことを特徴とする請求項１から請求項３までのいずれか１項に記載の測定システム。
【請求項５】
複数の測定装置（１０、２０、３０）を備えた測定システム（１００）において前記各測定装置間の同期を実現する同期方法であって、
前記各測定装置は、
現在時刻を取得する現在時刻取得ステップ（Ｓ１４）と、
無線周波数の信号を入力し所定周波数の信号に変換する周波数変換ステップ（Ｓ１２）と、
前記周波数変換ステップで変換した信号をサンプリングすることによりデジタル信号のサンプリングデータに変換するアナログデジタル変換ステップ（Ｓ１５）と、
前記現在時刻取得ステップで取得した前記現在時刻の情報を入力し、前記サンプリングデータのサンプルに前記現在時刻の情報を付加して前記サンプリングデータを記憶するサンプリングデータ記憶ステップ（Ｓ１６）と、
前記サンプリングデータ記憶ステップで記憶した前記サンプリングデータを解析するサンプリングデータ解析ステップ（Ｓ１７）と、
を実行することを特徴とする同期方法。
【発明の詳細な説明】
【技術分野】
【０００１】
本発明は、複数の測定装置間の同期を実現する測定システム及び同期方法に関する。
【背景技術】
【０００２】
従来、この種の同期を実現するものとしては、同期用のデータの生成及び処理を行う同期処理部と、同期用のデータを入出力するデータ入出力端子と、を備えた信号分析装置が知られている（例えば、特許文献１参照）。
【０００３】
この構成により、特許文献１記載の従来のものは、データ入出力端子に接続されるケーブルを介して同期用のデータを入出力することにより、複数の測定装置間の同期を実現することができるようになっている。
【先行技術文献】
【特許文献】
【０００４】
【特許文献１】特開２０１５−７０４９７号公報
【発明の概要】
【発明が解決しようとする課題】
【０００５】
しかしながら、従来のものでは、同期用のデータを入出力するためにケーブルにより測定装置同士を接続する必要があるので、複数の測定装置間の同期を実現できるのは比較的近距離にあるものに限定されるという課題があった。
【０００６】
本発明は、従来の課題を解決するためになされたものであり、測定装置間の距離とは無関係に、複数の測定装置間の同期を実現することができる測定システム及び同期方法を提供することを目的とする。
【課題を解決するための手段】
【０００７】
本発明の請求項１に係る測定システムは、複数の測定装置（１０、２０、３０、６０、７０、８０）を備えた測定システム（１００、２００）であって、前記各測定装置は、現在時刻を取得する現在時刻取得手段（１２、６１）と、無線周波数の信号を入力し所定周波数の信号に変換する周波数変換手段（１４）と、前記周波数変換手段が変換した信号をサンプリングすることによりデジタル信号のサンプリングデータに変換するアナログデジタル変換手段（１５、６２）と、前記現在時刻取得手段が取得した前記現在時刻の情報を入力し、前記サンプリングデータのサンプルに前記現在時刻の情報を付加して前記サンプリングデータを記憶するサンプリングデータ記憶手段（１６、６３）と、前記サンプリングデータ記憶手段が記憶した前記サンプリングデータを解析するサンプリングデータ解析手段（１７）と、を備えた構成を有している。
【０００８】
この構成により、本発明の請求項１に係る測定システムは、各測定装置が、現在時刻取得手段が取得した現在時刻の情報を入力し、サンプリングデータのサンプルに現在時刻の情報を付加してサンプリングデータを記憶するサンプリングデータ記憶手段を備えるので、複数の測定装置間で互いに同期したデジタル信号を得ることができる。
【０００９】
したがって、本発明の請求項１に係る測定システムは、測定装置間の距離とは無関係に、複数の測定装置間の同期を実現することができる。
【００１０】
本発明の請求項２に係る測定システムは、前記各測定装置（６０、７０、８０）は、現在の自装置の位置情報を取得する位置情報取得手段（６１）をさらに備え、前記サンプリングデータ記憶手段（６３）は、前記アナログデジタル変換手段（６２）が変換した前記サンプリングデータのサンプルに前記位置情報取得手段が取得した位置情報をさらに付加して前記サンプリングデータを記憶するものである構成を有している。
【００１１】
この構成により、本発明の請求項２に係る測定システムは、測定装置間の距離とは無関係に、複数の測定装置間の同期を実現することができるとともに、現在の自装置の位置情報を信号解析に資することもできる。
【００１２】
本発明の請求項３に係る測定システムは、前記現在時刻取得手段は、全地球測位システムの衛星（４０）、携帯電話システムの基地局及び日本標準時の時刻データを送信する電波送信所のうちのいずれか１つからの電波により前記現在時刻を取得するものである構成を有している。
【００１３】
この構成により、本発明の請求項３に係る測定システムは、全地球測位システムの衛星、携帯電話システムの基地局又は日本標準時の時刻データを送信する電波送信所の電波により正確な現在時刻を取得することができる。
【００１４】
本発明の請求項４に係る測定システムは、前記各測定装置（６０、７０、８０）のうち少なくともいずれか１つが移動体（６ｃ、７ｃ、８ｃ）に搭載された構成を有している。
【００１５】
この構成により、本発明の請求項４に係る測定システムは、各測定装置が移動体に搭載されている場合でも、測定装置間の距離とは無関係に、複数の測定装置間の同期を実現することができる。
【００１６】
本発明の請求項５に係る測定システムは、複数の測定装置（１０、２０、３０）を備えた測定システム（１００）において前記各測定装置間の同期を実現する同期方法であって、前記各測定装置は、現在時刻を取得する現在時刻取得ステップ（Ｓ１４）と、無線周波数の信号を入力し所定周波数の信号に変換する周波数変換ステップ（Ｓ１２）と、前記周波数変換ステップで変換した信号をサンプリングすることによりデジタル信号のサンプリングデータに変換するアナログデジタル変換ステップ（Ｓ１５）と、前記現在時刻取得ステップで取得した前記現在時刻の情報を入力し、前記サンプリングデータのサンプルに前記現在時刻の情報を付加して前記サンプリングデータを記憶するサンプリングデータ記憶ステップ（Ｓ１６）と、前記サンプリングデータ記憶ステップで記憶した前記サンプリングデータを解析するサンプリングデータ解析ステップ（Ｓ１７）と、を実行する構成を有している。
【００１７】
この構成により、本発明の請求項５に係る同期方法は、各測定装置が、現在時刻取得ステップで取得した現在時刻の情報を入力し、サンプリングデータのサンプルに現在時刻の情報を付加してサンプリングデータを記憶するデジタル信号記憶ステップを実行するので、複数の測定装置間で互いに同期したデジタル信号を得ることができる。
【００１８】
したがって、本発明の請求項５に係る測定システムは、測定装置間の距離とは無関係に、複数の測定装置間の同期を実現することができる。
【発明の効果】
【００１９】
本発明は、測定装置間の距離とは無関係に、複数の測定装置間の同期を実現することができるという効果を有する測定システム及び同期方法を提供することができるものである。
【図面の簡単な説明】
【００２０】
【図１】本発明の第１実施形態における電波監視システムの構成図である。
【図２】本発明の第１実施形態における信号解析装置のブロック構成図である。
【図３】本発明の第１実施形態における信号解析装置に記憶される波形データの一例を示す図である。
【図４】本発明の第１実施形態において、電波発信源がパルス信号を含む電波を発した場合に信号解析装置に記憶される波形データの一例を示す図である。
【図５】本発明の第１実施形態における電波監視システムの動作を示すフローチャートである。
【図６】本発明の第２実施形態における電波監視システムの構成図である。
【図７】本発明の第２実施形態における信号解析装置のブロック構成図である。
【図８】本発明の第２実施形態における信号解析装置に記憶される波形データの一例を示す図である。
【発明を実施するための形態】
【００２１】
以下、本発明の実施形態について図面を用いて説明する。なお、本発明の測定システムを、電波発信源から放射された電波を受信して到来電波の電波諸元や到来電波の発信源が存在する方位等を解析する電波監視システムに適用した例を挙げて説明する。
【００２２】
（第１実施形態）
まず、本発明に係る電波監視システムの第１実施形態における構成について説明する。
【００２３】
図１に示すように、本実施形態における電波監視システム１００は、電波発信源４から放射された電波を受信する３つの固定局１、２及び３を備えている。
【００２４】
固定局１、２及び３は、それぞれ、電波発信源４からの電波を受信する受信アンテナ１ａ、２ａ及び３ａを備えている。また、固定局１、２及び３は、それぞれ、ＧＰＳ（Global Positioning System：全地球測位システム）衛星４０からの電波を受信するＧＰＳアンテナ１ｂ、２ｂ及び３ｂを備えている。さらに、固定局１、２及び３は、それぞれ、電波発信源４からの電波を解析する信号解析装置１０、２０及び３０を備えている。この信号解析装置１０、２０及び３０は、測定装置の一例である。なお、固定局１、２及び３は、予め定められた位置に固定されており、それぞれの位置（緯度経度、高度）は既知であるものとする。
【００２５】
次に、本実施形態における信号解析装置１０の構成について図２を用いて説明する。
【００２６】
信号解析装置１０は、ＧＰＳ受信部１１、現在時刻取得部１２、局部発振部１３、ミキサ１４、アナログデジタルコンバータ（ＡＤＣ）１５、波形データ記憶部１６、波形データ解析部１７、表示部１８を備えている。
【００２７】
この信号解析装置１０は、図示しないＣＰＵ、ＲＯＭ、ＲＡＭ、各種インタフェースが接続される入出力回路等を備えたマイクロコンピュータを含む。すなわち、信号解析装置１０は、ＲＯＭに予め格納された制御プログラムを実行させることにより、マイクロコンピュータを、受信信号の信号解析を行う装置として機能させるようになっている。この信号解析装置１０は、測定装置の一例である。
【００２８】
ＧＰＳ受信部１１は、ＧＰＳ衛星４０からのＧＰＳ信号を復調する復調回路等を備え、ＧＰＳアンテナを介して受信したＧＰＳ信号を復調して現在時刻取得部１２に出力するようになっている。
【００２９】
現在時刻取得部１２は、ＧＰＳ受信部１１の出力信号から現在時刻を取得し、取得した現在時刻を波形データ記憶部１６に通知するようになっている。この現在時刻取得部１２は、現在時刻取得手段の一例である。
【００３０】
局部発振部１３は、所定周波数の局部発振信号を発生し、ミキサ１４に出力するようになっている。
【００３１】
ミキサ１４は、受信アンテナ１ａから入力した無線周波数信号（ＲＦ信号）と局部発振部１３からの局部発振信号とを混合してベースバンド信号に変換し、ＡＤＣ１５に出力するようになっている。このミキサ１４は、周波数変換手段の一例である。
【００３２】
ＡＤＣ１５は、ミキサ１４の出力信号を所定のサンプリングレートでサンプリングすることによりアナログ値からデジタル値のサンプリングデータに変換し、波形データ記憶部１６に出力するようになっている。なお、ＡＤＣ１５は、アナログデジタル変換手段の一例である。
【００３３】
波形データ記憶部１６は、例えばハードディスクドライブで構成され、現在時刻取得部１２が取得した現在時刻の情報を入力するようになっている。そして、波形データ記憶部１６は、ＡＤＣ１５からの信号（固定局１の受信信号）のサンプリングデータのサンプルに現在時刻の情報を付加して、波形データのサンプリングデータを記憶するようになっている。すなわち、波形データ記憶部１６に記憶されるサンプリングデータは、ＧＰＳ衛星４０からの正確な時刻情報と関連づけられている。なお、波形データ記憶部１６は、サンプリングデータ記憶手段の一例である。
【００３４】
波形データ解析部１７は、波形データ記憶部１６に記憶されたサンプリングデータを解析するようになっている。例えば、波形データ解析部１７は、電波発信源４が放射する信号の周波数、パルス幅などの電波諸元を解析することができる。この波形データ解析部１７は、サンプリングデータ解析手段の一例である。
【００３５】
表示部１８は、波形データ解析部１７の解析結果を表示するようになっている。
【００３６】
なお、信号解析装置２０及び３０は信号解析装置１０と同様の構成であるので、その説明を省略する。
【００３７】
次に、信号解析装置１０、２０及び３０に記憶される波形データの一例について図３を用いて説明する。
【００３８】
図３には、信号解析装置１０、２０及び３０において、それぞれ記憶される波形データとして波形データ５１、５２及び５３が例示されている。波形データ５１は、サンプリングデータのサンプルにサンプル時の現在時刻（サンプリング時刻）が付加されており、サンプリング点に対応する時刻がわかるようになっている。波形データ５２及び５３も波形データ５１と同様である。
【００３９】
波形データ５１、５２及び５３の各サンプリング時刻は、ＧＰＳ衛星４０を介して取得した正確な時刻に基づいているので、波形データ５１、５２及び５３の各サンプリング点の時間的な位置合わせが可能となる。すなわち、波形データ５１、５２及び５３は、互いに同期が取れたものと言える。
【００４０】
信号解析装置１０、２０及び３０は、互いに接続されてはいないが、ＧＰＳ衛星４０より取得した高精度な時刻情報に基づきサンプリングされた波形データ５１、５２及び５３を有しており、仮想的にＧＰＳ衛星４０と同期した状態となっていると言える。
【００４１】
次に、図１に示した電波発信源４がパルス信号を含む電波を発した場合、信号解析装置１０、２０及び３０に記憶される波形データの一例について図４を用いて説明する。
【００４２】
図４に示すように、信号解析装置１０の波形データ記憶部１６は、時刻ｔ１において受信したパルス信号を記憶している。信号解析装置２０は時刻ｔ２、信号解析装置３０は時刻ｔ３において受信したパルス信号を記憶している。前述のように、信号解析装置１０、２０及び３０の位置は既知であるので、電波監視システム１００は、時刻ｔ１、ｔ２及びｔ３の各時間差から電波発信源４の位置を特定することができる。
【００４３】
例えば、信号解析装置１０が、信号解析装置２０及び３０に記憶されたパルス信号のデータを例えばネットワークを介して受信し、波形データ解析部１７によって時刻ｔ１、ｔ２及びｔ３の各時間差を算出すれば、算出した各時間差と信号解析装置１０、２０及び３０の位置情報とから電波発信源４の位置や、信号解析装置１０からの方位等を特定することができる。
【００４４】
次に、本実施形態における電波監視システム１００の動作について図５を用いて説明する。なお、信号解析装置１０、２０及び３０のうち、信号解析装置１０の動作について説明する。
【００４５】
ミキサ１４は、受信アンテナ１ａからＲＦ信号を入力し（ステップＳ１１）、入力したＲＦ信号と局部発振部１３からの局部発振信号とを混合して周波数変換する（ステップＳ１２）。周波数変換された信号はＡＤＣ１５に入力される。
【００４６】
ＧＰＳ受信部１１は、ＧＰＳ衛星４０からのＧＰＳ信号を受信し、受信したＧＰＳ信号を復調して現在時刻取得部１２に出力する（ステップＳ１３）。
【００４７】
現在時刻取得部１２は、ＧＰＳ受信部１１の出力信号から現在時刻を取得する（ステップＳ１４）。この現在時刻の情報は、波形データ記憶部１６に出力される。
【００４８】
ＡＤＣ１５は、ミキサ１４の出力信号をサンプリングし、デジタル信号に変換する（ステップＳ１５）。このデジタル信号のサンプリングデータは、波形データ記憶部１６に出力され、波形データ記憶部１６は、ＡＤＣ１５からのサンプリングデータのサンプルに現在時刻の情報を付加して、波形データのサンプリングデータを記憶する（ステップＳ１６）。
【００４９】
波形データ解析部１７は、波形データ記憶部１６に記憶されたサンプリングデータを解析する（ステップＳ１７）。
【００５０】
表示部１８は、波形データ解析部１７の解析結果を表示する（ステップＳ１８）。
【００５１】
例えば、信号解析装置１０が図４に示したパルス信号を解析する場合には、波形データ解析部１７は、パルス信号を時刻ｔ１で受信したことを検出することができる。表示部１８は、パルス信号を受信した時刻ｔ１を表示し、試験者に提示することができる。
【００５２】
信号解析装置２０及び３０においても、信号解析装置１０と同様の動作により、それぞれパルス信号の受信時刻ｔ２及びｔ３が得られる。
【００５３】
その結果、電波監視システム１００は、時刻ｔ１、ｔ２及びｔ３の各時間差を算出し、算出した各時間差と信号解析装置１０、２０及び３０の位置情報とから電波発信源４の位置を特定することができる。
【００５４】
以上のように、本実施形態における電波監視システム１００は、測定装置１０、２０及び３０が、現在時刻取得部１２が取得した現在時刻の情報を入力し、サンプリングデータのサンプルに現在時刻の情報を付加して、波形データのサンプリングデータを記憶する波形データ記憶部１６を備えるので、測定装置１０、２０及び３０の間で互いに同期したデジタル信号を得ることができる。
【００５５】
したがって、本実施形態における電波監視システム１００は、測定装置間の距離とは無関係に、複数の測定装置間の同期を実現することができる。
【００５６】
なお、前述の実施形態において、現在時刻取得部１２がＧＰＳ衛星４０から現在時刻を取得する構成を例に挙げたが、本発明はこれに限定されず、例えば、携帯電話システムの基地局や、日本標準時の時刻データを送信する電波送信所からの電波から現在時刻を取得する構成としても同様の効果が得られる。ただし、ＧＰＳ衛星４０から現在時刻を取得する構成であれば、世界各地に配置された測定装置を同期できるので好ましい。
【００５７】
（第２実施形態）
図６に示すように、本実施形態における電波監視システム２００は、電波発信源４から放射された電波を受信する３つの移動局６、７及び８を備えている。これらの移動局６、７及び８は、それぞれ、車両６ｃ、７ｃ及び８ｃを備えている。なお、電波監視システム２００は、測定システムの一例である。また、車両６ｃ、７ｃ及び８ｃは、移動体の一例である。
【００５８】
移動局６、７及び８は、それぞれ、電波発信源４からの電波を受信する受信アンテナ６ａ、７ａ及び８ａを備えている。また、移動局６、７及び８は、それぞれ、ＧＰＳ衛星４０からの電波を受信するＧＰＳアンテナ６ｂ、７ｂ及び８ｂを備えている。さらに、移動局６、７及び８は、それぞれ、電波発信源４からの電波を解析する信号解析装置６０、７０及び８０を備えている。
【００５９】
次に、本実施形態における信号解析装置６０の構成について図７を用いて説明する。なお、第１実施形態（図２参照）と同様な構成には同一の符号を付してその説明を省略する。
【００６０】
図７に示すように、信号解析装置６０は、ＧＰＳ受信部１１、位置時刻取得部６１、局部発振部１３、ミキサ１４、ＡＤＣ６２、波形データ記憶部６３、波形データ解析部１７、表示部１８を備えている。
【００６１】
位置時刻取得部６１は、ＧＰＳ受信部１１の出力信号から自装置の現在位置（緯度経度、高度）及び現在時刻を取得するようになっている。この位置時刻取得部６１は、現在時刻取得手段及び位置情報取得手段の一例である。以下、現在位置及び現在時刻を総称して位置時刻と呼び、位置時刻の情報を位置時刻情報と呼ぶ。
【００６２】
ＡＤＣ６２は、ミキサ１４の出力信号を所定のサンプリングレートでサンプリングすることによりアナログ値からデジタル値のサンプリングデータに変換し、波形データ記憶部６３に出力するようになっている。このＡＤＣ６２は、アナログデジタル変換手段の一例である。
【００６３】
波形データ記憶部６３は、例えばハードディスクドライブで構成され、現在時刻取得部１２が取得した現在時刻の情報を入力するようになっている。そして、波形データ記憶部１６は、ＡＤＣ６２からの信号（移動局６の受信信号）のサンプリングデータのサンプルにサンプリング時刻及び位置情報を付加して、波形データのサンプリングデータを記憶するようになっている。すなわち、波形データ記憶部６３に記憶される波形データは、ＧＰＳ衛星４０からの正確な時刻情報及び位置情報と関連づけられている。なお、波形データ記憶部６３は、サンプリングデータ記憶手段の一例である。
【００６４】
次に、信号解析装置６０、７０及び８０に記憶される波形データの一例について図８を用いて説明する。
【００６５】
図８には、信号解析装置６０、７０及び８０において、それぞれ記憶される波形データとして波形データ９１、９２及び９３が例示されている。図示のように、波形データ９１、９２及び９３は、それぞれ、デジタイズされた波形データと、位置時刻情報とが関連づけられている。
【００６６】
なお、電波監視システム２００の動作は、図５に示した第１実施形態のフローチャートにおいて、ステップＳ１４の「現在時刻を取得」を「位置時刻を取得」と読み替えればよいので、動作説明は省略する。
【００６７】
以上のように、本実施形態における電波監視システム２００は、移動局６、７及び８にそれぞれ備えられた信号解析装置６０、７０及び８０が、サンプリングデータのサンプルにサンプリング時刻及び位置情報を付加して、波形データのサンプリングデータを記憶する波形データ記憶部６３を備えるので、信号解析装置６０、７０及び８０の間で互いに同期したデジタル信号を得ることができる。
【００６８】
したがって、本実施形態における電波監視システム２００は、移動局に搭載された測定装置間をケーブル接続して同期をとることはできないという従来の欠点を解消し、各測定装置が移動局に搭載された場合であっても、測定装置間の距離とは無関係に、複数の測定装置間の同期を実現することができる。
【００６９】
なお、第２実施形態において、３つの移動局を例に挙げて説明した、本発明はこれに限定されず、例えば、１つの固定局と２つの移動局とで電波監視システムを構成しても同様の効果が得られる。
【産業上の利用可能性】
【００７０】
以上のように、本発明に係る測定システム及び同期方法は、測定装置間の距離とは無関係に、複数の測定装置間の同期を実現することができるという効果を有し、複数の測定装置間の同期を実現する測定システム及び同期方法として有用である。
【符号の説明】
【００７１】
６ｃ、７ｃ、８ｃ  車両（移動体）
１０、２０、３０、６０、７０、８０  信号解析装置（測定装置）
１２  現在時刻取得部（現在時刻取得手段）
１４  ミキサ（周波数変換手段）
１５、６２  ＡＤＣ（アナログデジタル変換手段）
１６、６３  波形データ記憶部（サンプリングデータ記憶手段）
１７  波形データ解析部（サンプリングデータ解析手段）
４０  ＧＰＳ衛星
６１  位置時刻取得部（現在時刻取得手段、位置情報取得手段）
１００、２００  電波監視システム（測定システム）
【図１】
2017060102.tif 000003
【図２】
2017060102.tif 000004
【図３】
2017060102.tif 000005
【図４】
2017060102.tif 000006
【図５】
2017060102.tif 000007
【図６】
2017060102.tif 000008
【図７】
2017060102.tif 000009
【図８】
2017060102.tif 000010